(57)【要約】【課題】  当せん金の一部を社会のために還元する。また、くじの販売機会の損失を低減し、かつ、くじの購入者の利便性を向上させる。【解決手段】  図１において、発売が終了し、センターコンピュータ２０１に抽せん対象回号の抽せん数字が入力されると（ＳＴＥＰ１０１）、センターコンピュータ２０１は抽せん数字情報と発券情報との突合せチェックを行い（ＳＴＥＰ１０２）、当せん金の算出を行う（ＳＴＥＰ１０３）。突合せチェックの結果、当せんかつ寄附金指示ありの場合（ＳＴＥＰ１０４、１０５）、寄附金指示に登録された配分率や配分額などの情報に基づき寄附金を算出し（ＳＴＥＰ１０６）、支払情報に登録する（ＳＴＥＰ１０７）。すべての発券情報のチェックが終了すると（ＳＴＥＰ１０８）、当該抽せん回号に対する支払いを開始する。【選択図】  図１
2006155111.tif 000002
【特許請求の範囲】
【請求項１】
センターコンピュータと通信回線で結ばれた発券端末機を使って、くじ券の発券や当せん券の確認などを行うオンラインシステムにおいて、
申込カードの申込内容を読み取り、前記申込内容に応じてくじ券を発券し、前記くじ券の当せんの確認を行い、当せん金の判別をし、当せんした場合は前記当せん金から前記申込内容に応じて寄附金を配分することを特徴とした発券端末機およびそれを使用したオンラインシステム。
【請求項２】
センターコンピュータと通信回線で結ばれた発券端末機を使って、くじ券の発券や当せん券の確認などを行うオンラインシステムにおいて、
申込カードの申込内容を読み取り、前記申込内容に応じてくじ券を発券し、前記くじ券の当せんの確認を行い、当せん金の判別をし、当せんした場合は前記当せん金から前記申込内容に応じて商品を自動的に購入することを特徴とした発券端末機およびそれを使用したオンラインシステム。
【請求項３】
請求項１および請求項２において、
発券端末機は複数の用紙を備え、申込内容に応じて発券するくじ券の用紙を選択することを特徴とした発券端末機およびそれを使用したオンラインシステム。
【請求項４】
請求項１から請求項３において、
申込カードに替えてオペレータ操作により申込内容の入力を行うことを特徴とした発券端末機およびそれを使用したオンラインシステム。
【請求項５】
センターコンピュータと通信回線で結ばれた照合機を使って、当せん券の確認などを行うオンラインシステムにおいて、
くじ券の当せんの確認を行い、当せん金の判別をし、当せんした場合は前記当せん金から前記くじ券に付加された寄附金情報に応じて寄附金を配分することを特徴とした照合機およびそれを使用したオンラインシステム。
【請求項６】
請求項１および請求項５において、
当せん金を表示し、オペレータ操作により当せん金から寄附金を配分することを特徴とした発券端末機、照合機およびそれを使用したオンラインシステム。
【発明の詳細な説明】
【技術分野】
【０００１】
本発明は、発券端末機、照合機およびそれを使用したオンラインシステムに関する。
【背景技術】
【０００２】
従来、販売されているくじとしては、競馬・競輪・競艇・オートレース・サッカーなどの「投票くじ」や、ナンバーズ３・ナンバーズ４・ミニロト・ロト６などの「数字選択式宝くじ」、ジャンボ宝くじなどの「開封くじ」、スクラッチなどの「被封くじ」が知られている。これらのくじでは、ごく一部の者は当たって大金を手にすることができるが、当せん金の一部を社会のために還元する手段がなく不便であった。また、当せんした場合に、その当せん金で再度くじを購入するには、実際に当せんしてから申し込みを行う必要があった。
【０００３】
特開２００３−３１６９５４号公報には、くじに当せんした場合、当せん金で再度くじを購入し年金運営の資金とすることができる技術が公開されているが、これに於けるくじの再購入はくじ付き年金システムで行われるため、予め本年金システムに加入しておく必要があり、加入していない者は利用できなかった。
【０００４】
【特許文献１】特開２００３−３１６９５４号公報
【発明の開示】
【発明が解決しようとする課題】
【０００５】
本発明は、当せん金の一部を社会のために還元する手段がなく不便であったこれらのくじに対して、当せん金から寄附金を配分することができる発券端末機、照合機及びオンラインシステムを提供するものである。また、本発明は、当せんした場合のくじの再購入もくじ付き年金システムで行われるものではなく、販売店でのくじの販売機会の損失を低減し、かつ、くじの購入者の利便性を向上させることができる発券端末機、照合機及びオンラインシステムを提供するものである。
【課題を解決するための手段】
【０００６】
本発明による発券端末機、照合機およびそれを使用したオンラインシステムは、センターコンピュータと通信回線で結ばれた発券端末機を使って、くじ券の発券や当せん券の確認などを行うオンラインシステムにおいて、申込カードの申込内容を読み取り、前記申込内容に応じてくじ券を発券し、前記くじ券の当せんの確認を行い、当せん金の判別をし、当せんした場合は前記当せん金から前記申込内容に応じて寄附金を配分することを特徴とする。
【０００７】
また、センターコンピュータと通信回線で結ばれた発券端末機を使って、くじ券の発券や当せん券の確認などを行うオンラインシステムにおいて、申込カードの申込内容を読み取り、前記申込内容に応じてくじ券を発券し、前記くじ券の当せんの確認を行い、当せん金の判別をし、当せんした場合は前記当せん金から前記申込内容に応じて商品を自動的に購入することを特徴とする。
【０００８】
さらに、発券端末機は複数の用紙を備え、申込内容に応じて発券するくじ券の用紙を選択することを特徴とする。
【０００９】
そして、申込カードに替えてオペレータ操作により申込内容の入力を行うことを特徴とする。
【００１０】
また、センターコンピュータと通信回線で結ばれた照合機を使って、当せん券の確認などを行うオンラインシステムにおいて、くじ券の当せんの確認を行い、当せん金の判別をし、当せんした場合は前記当せん金から前記くじ券に付加された寄附金情報に応じて寄附金を配分することを特徴する。
【００１１】
さらに、当せん金を表示し、オペレータ操作により当せん金から寄附金を配分することを特徴とする。
【発明の効果】
【００１２】
本発明の発券端末機、照合機およびそれを使用したオンラインシステムは、当せん金の一部を寄附金とし、当せんした場合に配分することとしているので、手軽に社会のために還元し寄附することができる。
【００１３】
また、本発明の発券端末機およびそれを使用したオンラインシステムは、くじの購入時にその当せん金の使途を予め申し込むことことができるので、販売店でのくじの販売機会の損失を低減し、かつ、くじの購入者の利便性を向上させることができる。
【発明を実施するための最良の形態】
【００１４】
図面を用いて本発明の実施形態について説明する。
【００１５】
本実施形態では、センターコンピュータと通信回線で結ばれた発券端末機を使って、数字選択式宝くじを購入し、当せんした場合に当せん金から寄附金を配分する場合を例にとって説明する。また、発券端末機には、２つの異なる用紙がセットされており、一つは寄附金の指示がなかった場合のくじ券の発券に使用するものであり、もう一つは寄附金の指示があった場合のくじ券の発券に使用するものとする。
【００１６】
図２は、本実施形態の全体構成を示す図である。センターコンピュータ２０１には、通信回線２０２を介して複数の発券端末機２０３が接続している。
【００１７】
センターコンピュータ２０１は、発券端末機２０３からの発券情報や支払情報などに対する処理を行い、受け取った情報をデータベースに登録、管理する。
【００１８】
通信回線２０２は、電話回線や専用回線などを使った広域通信網である。
【００１９】
発券端末機２０３は、センターコンピュータ２０１に処理要求を行い、センターコンピュータ２０１からの処理結果を受信することで、くじ券の発券や当せん券の確認などを行う。
【００２０】
図３は、発券端末機２０３のハードウェア構成を示す図である。発券端末機３０３は、制御部３０１、読取部３０２、印字部３０３、表示部３０４、入力部３０５、通信制御部３０６から構成される。
【００２１】
制御部３０１は、ＣＰＵやメモリなどで構成された情報処理装置であり、発券端末機３０３の全体制御を行うものである。
【００２２】
読取部３０２は、申込カードの読み取りやくじ券の読み取りなどを行うものである。申込カードには、紙製だけでなく、データの読み書きが可能なＩＣカードや携帯電話などが含まれる。申込カードが紙製である場合、申込カードは寄附金用途別または再購入指示用に作成される。あるいは、申込カードに寄附金用途、再購入指示が印刷されており、購入者が選択し指示する。また、ＩＣカードや携帯電話などから申込内容を読み取る場合には、この読取部３０２に読み取りに必要なリーダ機能が内蔵される。また、オペレータ操作により申込内容を入力する場合は、入力部３０５を使用する。
【００２３】
印字部３０３は、前記読取部３０２で読み取った申込内容に応じて、センターコンピュータ２０１と処理を行い、くじ券を発券するものである。また、読み取った申込内容に応じて発券するくじ券の用紙を選択するものである。例えば、申込内容に寄附金の指示があった場合、購入者が寄附金を指示したことに対する優越感を得られるように、寄附金の指示がない場合とは別の用紙を使用してくじ券を発券するものである。また、再購入の指示があった場合は、再購入分を別の用紙を使用してくじ券を発券するものである。また、当せんした場合に当せん金から寄附金を配分したこと明細書などに出力するものである。くじ券を発券する用紙は、購入者により選択することが可能である。
【００２４】
表示部３０４は、発券情報や支払情報などの発券端末機２０３の各種情報を表示するものである。オペレータ操作により申込内容の入力を行う場合、オペレータ操作に必要な各種情報をこの表示部３０４に表示する。また、当せんした場合に、オペレータ操作により当せん金から寄附金を配分する場合、表示部３０４に当せん金などを表示する。
【００２５】
入力部３０５は、タッチパネルやキーボードなどを用いて、発券端末機２０３のオペレータ操作を行うものである。また、オペレータ操作により、申込内容の入力や当せん金からの寄附金を指示したり、修正したりすることが可能である。
【００２６】
通信制御部３０６は、発券端末機２０３とセンターコンピュータ２０１との通信を制御するものである。
【００２７】
図４は、くじ券の発券処理を示すフローチャートである。
【００２８】
発券端末機２０３は、申込カードが読取部３０２に挿入されると、読取部３０２が申込カードを読み取り（ＳＴＥＰ４０１）、その申込内容から販売するくじ券の小計金額及び合計金額を算出する（ＳＴＥＰ４０２）。また、発券端末機１０３は、センターコンピュータ１０１に対し発券情報を送信する（ＳＴＥＰ４０３）。センターコンピュータ１０１は、発券端末機１０３から受け取った発券情報からくじ券の識別コードを採番し（ＳＴＥＰ４０４）、発券情報をデータベースに登録し（ＳＴＥＰ４０５）、発券端末機１０３に処理結果を送信する（ＳＴＥＰ４０６）。発券端末機１０３は、センターコンピュータ１０１から受信した処理結果に基づき、発券するくじ券の用紙を選択し（ＳＴＥＰ４０７）、くじ券を発券する（ＳＴＥＰ４０８）。
【００２９】
図５はくじ券の支払確認処理を示すフローチャートである。
【００３０】
発券端末機２０３は、くじ券が読取部２０２に挿入されると、読取部２０２がくじ券を読み取り（ＳＴＥＰ５０１）、センターコンピュータ２０１に対してくじ券の読み取り結果を送信する（ＳＴＥＰ５０２）。センターコンピュータ２０１は、発券端末機２０３から受け取った読み取り結果から識別コードを用いて支払確認処理（当せん判定）を行い（ＳＴＥＰ５０３）、発券端末機２０３に処理結果を送信する（ＳＴＥＰ５０４）。発券端末機２０３は、センターコンピュータ２０１から受信した処理結果に基づき支払金額の合計を算出し（ＳＴＥＰ５０５）、表示部２０４に支払情報を表示する（ＳＴＥＰ５０６）。その後、オペレータ操作により支払要求が行われ、支払処理が行われる。
【００３１】
図６は、センターコンピュータ２０１の発券情報データベースの説明図（数字選択式宝くじ）である。
【００３２】
センターコンピュータ２０１が発券端末機２０３から受信した発券情報は、識別コード６０１で採番され、ゲームタイプ６０２、抽せん回号６０３、申込タイプ６０４、申込数字６０５、申込口数６０６、寄附金指示６０７、寄附金用途６０８、再購入指示６０９、売場コード６１０などが、データベースに登録される。
【００３３】
識別コード６０１は、発券するくじ券毎にセンターコンピュータ２０１で採番されるものである。採番した識別コード６０１はくじ券に印字され、くじ券の識別は前記識別コードを照合することによって行われる。申込タイプ６０２には、ナンバーズ３、ナンバーズ４、ミニロト、ロト６などの商品名を入力する。抽せん回号６０３には、第１００回などの抽せん回数を入力する。申込タイプ６０４には、ナンバーズ３であれば、ストレート、ボックス、セット、ミニなどの商品タイプ別に存在するくじの種類を入力する。申込数字６０５には、０１、０２、０３などの購入者が申し込んだ数字を入力する。申込口数６０６は、申込タイプ別の申込口数を入力する。寄附金指示６０７には、当せんした場合の寄附金の配分率や配分額を入力する。寄附金用途６０８には、災害支援、医療、福祉などの寄附金の使用用途を入力する。再購入指示６０９には、当せんした場合に再購入するくじ券の識別コードを入力する。売場コード６１０には、くじ券を販売した売場情報を入力する。また、再購入指示により再購入する場合の売場コードは例えばＡｕｔｏなどが入力される。
【００３４】
図１は、当せんした場合に配分する寄附金の配分処理を示すフローチャートである。
【００３５】
発売が終了し、センターコンピュータ２０１に抽せん対象回号の抽せん数字が入力されると（ＳＴＥＰ１０１）、センターコンピュータ２０１は抽せん数字情報と発券情報との突合せチェックを行い（ＳＴＥＰ１０２）、当せん金の算出を行う（ＳＴＥＰ１０３）。突合せチェックの結果、当せんかつ寄附金指示ありの場合（ＳＴＥＰ１０４、１０５）、寄附金指示に登録された配分率や配分額などの情報に基づき寄附金を算出し（ＳＴＥＰ１０６）、支払情報に登録する（ＳＴＥＰ１０７）。すべての発券情報のチェックが終了すると（ＳＴＥＰ１０８）、当該抽せん回号に対する支払いを開始する。
【００３６】
図７は、当せんした場合に再購入する商品の再購入処理を示すフローチャートである。
【００３７】
発売が終了し、センターコンピュータ２０１に抽せん対象回号の抽せん数字が入力されると（ＳＴＥＰ７０１）、センターコンピュータ２０１は抽せん数字情報と発券情報との突合せチェックを行い（ＳＴＥＰ７０２）、当せん金の算出を行う（ＳＴＥＰ７０３）。突合せチェックの結果、当せんかつ再購入指示ありの場合（ＳＴＥＰ７０４、７０５）、再購入指示に登録された識別コードの発券情報から再購入に必要な金額を算出し（ＳＴＥＰ７０６）、売場コードをＡｕｔｏとし発券情報として登録し（ＳＴＥＰ７０７）、支払情報に登録する（ＳＴＥＰ７０８）。すべての発券情報のチェックが終了すると（ＳＴＥＰ７０９）、当該抽せん回号に対する支払いを開始する。
【００３８】
寄附金の配分処理と商品の再購入処理はそれぞれ別々に実施しても良いし、一緒に実施しても良い。また、寄附金の配分処理は、くじ券の支払確認処理で実施することが可能である。この場合、当せんであれば、支払情報から寄附金指示ありのチェックを行い、寄附金指示に登録された配分率や配分額から寄附金を算出し、支払情報を更新する。
【００３９】
図８は、競馬などの投票くじに本発明を適用した場合のセンターコンピュータ２０１の発券情報データベースの説明図（投票くじ）である。
【００４０】
基本的には、前述した数字選択式宝くじで使用する発券情報データベースと同様である。ゲームタイプ５０２は競馬場名８０２となり、東京、京都などの競馬場名が入力する。抽せん回号５０３はレース名８０３となり、１Ｒ、２Ｒなどのレース名を入力する。申込タイプ８０４には単勝、複勝などの投票券の種類が入力する。申込数字８０５には、１番、１６番などの申込馬番を入力する。申込口数８０６が全額である場合には、ＡＬＬなどを入力する。
【００４１】
本実施例では、発券端末機２０３には、２つの異なる用紙がセットされており、一つは寄附金の指示がなかった場合のくじ券の発券に使用し、もう一つは寄附金の指示があった場合のくじ券の発券に使用することで、申込内容に寄附金の指示があった場合は、購入者が寄附金を指示したことに対する優越感を得られるように、寄附金の指示がない場合とは別の用紙を使用してくじ券を発券することとしたが、本発明は一つの用紙でも適用することができる。その場合は、寄附金の指示があったことを発券するくじ券に印字する。このことは、商品の再購入においても同様である。
【００４２】
また、本実施例では、当せんした場合に配分する寄附金の配分処理を、発売が終了した後の当せん金の算出時に実施することとしたが、くじ券の支払確認処理においても本発明を実施することが可能である。その場合は、支払確認処理（当せん判定）の後に、寄附金指示に登録された配分率や配分額などの情報に基づき寄附金を算出し支払情報を更新する。また、その後の支払処理の中で本発明を実施することが可能である。その場合は、支払確認処理後に表示部３０４に当せん金を表示し、オペレータ操作により寄附金の指示を行うことで、入力された配分率や配分額などの情報に基づき寄附金を算出し支払情報を更新する。
【００４３】
ジャンボ宝くじなどの「開封くじ」やスクラッチなどの「被封くじ」では、予め申込内容がくじ券に印刷されている。これらのくじ券に対する寄附金への対応は、販売するくじ券に寄附金情報を付加するで実現される。例えば、年賀はがきのように＋５円といった寄附金が、くじ券に付加情報として付加される。このようなくじ券の当せんの確認には、照合機が使用されることがある。照合機とは、くじ券を発券する機能はないが、当せん券の確認などを行う機能を持った装置である。
【００４４】
照合機を使用する場合、本発明による寄附金の配分処理は、前述したようにくじ券の支払確認処理やその後の支払処理の中で適用される。
【００４５】
本発明では、当せん金から寄附金を配分することとしたので、当せん金の一部を手軽に社会のために還元し寄附することができる。また、当せん金で再度くじを購入する場合は、くじの購入時にその当せん金の使途を予め申し込むことことで、販売店でのくじの販売機会の損失を低減し、かつ、くじの購入者の利便性を向上させることができる。
【図面の簡単な説明】
【００４６】
【図１】本発明実施の形態の、寄附金の配分処理を示すフローチャートである。
【図２】本発明実施の形態の、全体構成を示す図である。
【図３】本発明実施の形態の、発券端末機のハードウェア構成を示す図である。
【図４】本発明実施の形態の、くじ券の発券処理を示すフローチャートである。
【図５】本発明実施の形態の、くじ券の支払確認処理を示すフローチャートである。
【図６】本発明実施の形態の、センターコンピュータの発券情報データベースの説明図である。
【図７】本発明実施の形態の、商品の再購入処理を示すフローチャートである。
【図８】本発明実施の形態の、センターコンピュータの発券情報データベースの説明図である。
【符号の説明】
【００４７】
１０１…抽せん結果入力、１０２…発券情報チェック、１０３…当せん金算出、１０４…当せんチェック、１０５…寄附金指示チェック、１０６…寄附金算出、１０７…支払情報登録、1０８…完了チェック、２０１…センターコンピュータ、２０２…通信回線、２０３…発券端末機、３０１…制御部、３０２…読取部、３０３…印字部、３０４…表示部、３０５…入力部、３０６…通信制御部、４０１…申込カード読取、４０２…発券合計算出、４０３…発券情報送信、４０４…識別コード採番、４０５…発券情報登録、４０６…処理結果送信、４０７…用紙選択、４０８…くじ券発券、５０１…くじ券読取、５０２…読取結果送信、５０３…支払確認処理、５０４…処理結果送信、５０５…支払合計算出、５０６…支払情報表示、６０１…識別コード、６０２…ゲームタイプ、６０３…抽せん回号、６０４…申込タイプ、６０５…申込数字、６０６…申込口数、６０７…寄附金指示、６０８…寄附金内容、６０９…再購入指示、６１０…販売コード、７０１…抽せん結果入力、７０２…発券情報チェック、７０３…当せん金産出、７０４…当せんチェック、７０５…再購入指示チェック、７０６…再購入金算出、７０７…発券情報登録、７０８…支払情報登録、７０９…完了チェック、８０１…識別コード、８０２…競馬場、８０３…レース、８０４…申込タイプ、８０５…申込馬番、８０６…申込口数、８０７…寄附金指示、８０８…寄附金用途、８０９…再購入指示、８１０…販売コード。
【図１】
2006155111.tif 000003
【図２】
2006155111.tif 000004
【図３】
2006155111.tif 000005
【図４】
2006155111.tif 000006
【図５】
2006155111.tif 000007
【図６】
2006155111.tif 000008
【図７】
2006155111.tif 000009
【図８】
2006155111.tif 000010